【手続補正書】
【提出日】平成26年10月28日(2014.10.28)
【手続補正１】
【補正対象書類名】明細書
【補正対象項目名】０００６
【補正方法】変更
【補正の内容】
【０００６】
この発明にかかる定時通行判定装置は、
データを処理する処理装置と、通行日時取得部と、指標値割当部と、指標値集計部と、定時通行判定部とを有し、
上記通行日時取得部は、上記処理装置を用いて、車両が所定の地点を通行した通行日時を取得し、
上記指標値割当部は、上記処理装置を用いて、上記通行日時取得部が取得した通行日時に基づいて、一日を分割した複数の時間帯のうち、上記車両が上記所定の地点を通行した通行時刻を含む時間帯を求めて通行時間帯とし、上記通行時間帯の前後に連続した２つ以上の時間帯のそれぞれについて、０より大きい指標値を割り当て、
上記指標値集計部は、上記処理装置を用いて、上記複数の時間帯のそれぞれについて、上記指標値割当部が割り当てた指標値を集計して、集計値を算出し、
上記定時通行判定部は、上記処理装置を用いて、上記複数の時間帯のうちいずれかの時間帯について上記指標値算出部が算出した集計値が閾値以上である場合に、上記集計値が上記閾値以上である時間帯に上記車両が上記所定の地点を通行する定時通行車両であると判定することを特徴とする。
【手続補正２】
【補正対象書類名】明細書
【補正対象項目名】０１９５
【補正方法】変更
【補正の内容】
【０１９５】
以上説明した定時通行判定装置（定時通行車両検出装置３）は、データを処理する処理装置（９１１）と、通行日時取得部（車両通行情報取得部１１０）と、指標値割当部（通行時間のゆらぎ付与部１２０・通行時間の区分分割部１３０・区間の重み付け部１４０）と、指標値集計部（定時通行車両検出部１５０）と、定時通行判定部（定時通行車両検出部１５０）とを有する。
上記通行日時取得部は、上記処理装置を用いて、車両が所定の地点を通行した通行日時（通行時間３１１）を取得する。
上記指標値割当部は、上記処理装置を用いて、上記通行日時取得部が取得した通行日時に基づいて、一日を分割した複数の時間帯（区間４２５）のうち、上記車両が上記所定の地点を通行した通行時刻を含む時間帯を求めて通行時間帯とし、上記通行時間帯の前後に連続した２つ以上の時間帯（通行時間を含む区間４２６）のそれぞれについて、０より大きい指標値（重み付けを行った値４３０）を割り当てる。
上記指標値集計部は、上記処理装置を用いて、上記複数の時間帯のそれぞれについて、上記指標値割当部が割り当てた指標値を集計して、集計値（計算した各区間の値４６０）を算出する。
上記定時通行判定部は、上記処理装置を用いて、上記複数の時間帯のうちいずれかの時間帯について上記指標値算出部が算出した集計値が閾値（３５２）以上である場合に、上記集計値が上記閾値以上である時間帯に上記車両が上記所定の地点を通行する定時通行車両であると判定する。
【手続補正３】
【補正対象書類名】明細書
【補正対象項目名】０２０３
【補正方法】変更
【補正の内容】
【０２０３】
上記定時通行判定装置（３）は、更に、通行速度取得部（車両通行情報取得部１１０）を有する。
上記通行速度取得部は、上記処理装置（９１１）を用いて、上記通行日時取得部が取得した通行日時に上記車両が上記所定の地点を通行した通行速度（３１４）を取得する。
上記指標値割当部（１２０・１３０・１４０）は、上記通行速度取得部が取得した通行速度が閾値（渋滞検出速度３６３）より遅い場合に、上記通行速度が上記閾値より速い場合よりも多くの数の時間帯について、上記指標値を割り当てる。
【手続補正４】
【補正対象書類名】特許請求の範囲
【補正対象項目名】全文
【補正方法】変更
【補正の内容】
【特許請求の範囲】
【請求項１】
データを処理する処理装置と、通行日時取得部と、指標値割当部と、指標値集計部と、定時通行判定部とを有し、
上記通行日時取得部は、上記処理装置を用いて、車両が所定の地点を通行した通行日時を取得し、
上記指標値割当部は、上記処理装置を用いて、上記通行日時取得部が取得した通行日時に基づいて、一日を分割した複数の時間帯のうち、上記車両が上記所定の地点を通行した通行時刻を含む時間帯を求めて通行時間帯とし、上記通行時間帯の前後に連続した２つ以上の時間帯のそれぞれについて、０より大きい指標値を割り当て、
上記指標値集計部は、上記処理装置を用いて、上記複数の時間帯のそれぞれについて、上記指標値割当部が割り当てた指標値を集計して、集計値を算出し、
上記定時通行判定部は、上記処理装置を用いて、上記複数の時間帯のうちいずれかの時間帯について上記指標値算出部が算出した集計値が閾値以上である場合に、上記集計値が上記閾値以上である時間帯に上記車両が上記所定の地点を通行する定時通行車両であると判定する
ことを特徴とする定時通行判定装置。
【請求項２】
上記指標値割当部は、上記通行時刻より所定の時間前の通行前時刻と、上記通行時刻より所定の時間後の通行後時刻とを算出し、算出した通行前時刻と通行後時刻との間の時刻を含む時間帯について、上記指標値を割り当てることを特徴とする請求項１に記載の定時通行判定装置。
【請求項３】
上記指標値割当部は、所定の定数、または、上記通行時刻と上記時間帯との間の時間間隔が大きくなるほど小さくなる数値を、上記指標値とすることを特徴とする請求項１または請求項２に記載の定時通行判定装置。
【請求項４】
上記指標値集計部は、上記指標値の合計値、平均値、最頻値及び中央値のうちのいずれかを、上記集計値とすることを特徴とする請求項１乃至請求項３のいずれかに記載の定時通行判定装置。
【請求項５】
上記指標値割当部は、上記車両が通行した曜日が所定の曜日である場合に、上記指標値を割り当てることを特徴とする請求項１乃至請求項４のいずれかに記載の定時通行判定装置。
【請求項６】
上記定時通行判定装置は、更に、特殊事情取得部を有し、
上記特殊事情取得部は、上記処理装置を用いて、上記車両が上記所定の地点を通行する時刻に影響を与える事情が発生した特殊事情発生時間帯を取得し、
上記指標値割当部は、上記特殊事情取得部が取得した特殊事情発生時間帯に上記通行日時が含まれる場合、上記特殊事情発生時間帯に上記通行日時が含まれない場合よりも多くの数の時間帯について、上記指標値を割り当てる
ことを特徴とする請求項１乃至請求項５のいずれかに記載の定時通行判定装置。
【請求項７】
上記特殊事情取得部が取得する特殊事情発生時間帯における上記車両が上記所定の地点を通行する時刻に影響を与える事情は、渋滞、道路工事及び事故のうち少なくともいずれかであることを特徴とする請求項６に記載の定時通行判定装置。
【請求項８】
上記定時通行判定装置は、更に、通行速度取得部を有し、
上記通行速度取得部は、上記処理装置を用いて、上記通行日時取得部が取得した通行日時に上記車両が上記所定の地点を通行した通行速度を取得し、
上記指標値割当部は、上記通行速度取得部が取得した通行速度が閾値より遅い場合に、上記通行速度が上記閾値より速い場合よりも多くの数の時間帯について、上記指標値を割り当てる
ことを特徴とする請求項１乃至請求項７のいずれかに記載の定時通行判定装置。
【請求項９】
データを処理する処理装置を有するコンピュータが実行することにより、上記コンピュータを、請求項１乃至請求項８のいずれかに記載の定時通行判定装置として機能させることを特徴とするコンピュータプログラム。
【請求項１０】
データを処理する処理装置を有する定時通行判定装置が、車両が所定の地点を定時通行する定時通行車両であるか否かを判定する定時通行判定方法において、
上記処理装置が、車両が所定の地点を通行した通行日時を取得し、
上記処理装置が、取得した通行日時に基づいて、一日を分割した複数の時間帯のうち、上記車両が上記所定の地点を通行した通行時刻を含む時間帯を求めて通行時間帯とし、
上記処理装置が、上記通行時間帯の前後に連続した２つ以上の時間帯のそれぞれについて、０より大きい指標値を割り当て、
上記処理装置が、上記複数の時間帯のそれぞれについて、割り当てた指標値を集計して、集計値を算出し、
上記処理装置が、上記複数の時間帯のうちいずれかの時間帯について算出した集計値が閾値以上である場合に、上記集計値が上記閾値以上である時間帯に上記車両が上記所定の地点を通行する定時通行車両であると判定する
ことを特徴とする定時通行判定方法。